(57)【要約】【課題】ケーブル固定時の操作性をより良好にすることのできるケーブル用コネクタを得る。【解決手段】ケーブル用コネクタ１は、ハウジング３と、ハウジング３に設けられ、ケーブル２の表面に対向する第１接点部４ａと、裏面に対向する第１係合枢支部４ｂと、を有する第１コンタクト４と、ハウジング３に設けられ、ケーブル２の表面に対向する第２接点部５ａと、裏面に対向し、第１係合枢支部４ｂよりも根元部５ｉが厚い第２係合枢支部５ｂと、を有する第２コンタクト５と、第１係合枢支部４ｂが挿入される第１貫通穴６ｂと、第１係合枢支部４ｂに係合する第１カム部６ｃと、第２係合枢支部５ｂが挿入される第２貫通穴６ｅと、第２係合枢支部５ｂに係合する第２カム部６ｆと、を有するカバー６と、を備えている。【選択図】図１
2008243554.tif 000002
【特許請求の範囲】
【請求項１】
ハウジングと、
前記ハウジングに設けられるとともに、シート状のケーブルが挿入され、前記ケーブルの表面に対向する第１接点部と、当該ケーブルの裏面に対向する第１係合枢支部と、を有する第１コンタクトと、
前記ハウジングに前記第１コンタクトと並列に設けられるとともに、ケーブルが挿入され、前記ケーブルの表面に対向する第２接点部と、当該ケーブルの裏面に対向し、前記第１係合枢支部よりも根元部が厚い第２係合枢支部と、を有する第２コンタクトと、
前記第１係合枢支部が挿入される第１貫通穴と、前記第１係合枢支部に係合する第１カム部と、前記第２係合枢支部が挿入される第２貫通穴と、前記第２係合枢支部に係合する第２カム部と、を有し、前記第１貫通穴と前記第１カム部とで前記第１係合枢支部に回動可能に支持されるとともに、前記第２貫通穴と前記第２カム部とで前記第２係合枢支部に回動可能に支持され、前記ケーブルを前記接点部に圧接させるカバーと、
を備えることを特徴とするケーブル用コネクタ。
【請求項２】
前記第１係合枢支部は、前記カバーが前記ケーブルの挿脱方向へ移動できるように、前記第１カム部を係合するとともに、前記前記第２係合枢支部は、前記カバーの前記ケーブルの挿入方向への移動を規制することを特徴とする請求項１に記載のケーブル用コネクタ。
【請求項３】
前記第１コンタクトが前記ケーブルの離脱方向に沿って前記ハウジングに挿入されるとともに、前記第２コンタクトが前記ケーブルの挿入方向に沿って前記ハウジングに挿入されることを特徴とする請求項１または請求項２に記載のケーブル用コネクタ。
【請求項４】
前記第２係合枢支部の先端部に、前記カバーを開いた状態で当該カバーを係止する略円弧状の突部を設けたことを特徴とする請求項１〜３のうちいずれか１項に記載のケーブル用コネクタ。
【発明の詳細な説明】
【技術分野】
【０００１】
本発明は、ケーブル用コネクタに関し、特に、フラットリボンケーブルやＦＰＣなどのケーブルを接続するのに適したケーブル用コネクタに関する。
【背景技術】
【０００２】
従来、ケーブル用コネクタとして、ＦＰＣケーブルを受けるハウジングと、ハウジングに所定のピッチでそれぞれ固定保持された複数の第１および第２コンタクトと、ＦＰＣケーブルを第１および第２コンタクトに圧接させるためのアクチュエータとを備えるものが知られている（例えば特許文献１参照）。
【０００３】
この特許文献１では、第１および第２コンタクトは、ＦＰＣケーブルの一面に対向する第１および第２接点部とこのＦＰＣケーブルの反対面に対向する第１および第２係合枢支部とをそれぞれ一体に有している。そして、第１係合枢支部の外周は円弧状に形成されているとともに、アクチュエータに形成された円弧状の第１カム部と第１係合枢支部とが係合し、アクチュエータには、第１係合枢支部が第１カム部に沿って周回するように、第１カム部に隣接する貫通穴を形成し、以て、アクチュエータが第１係合枢支部によって回動可能に支持されるようにしている。また、アクチュエータには、係合カム溝が設けられており、この係合カム溝と第２係合枢支部とが係合している。
【特許文献１】特開２００１−１１０４８３号公報
【発明の開示】
【発明が解決しようとする課題】
【０００４】
しかしながら、かかる従来技術では、第２コンタクトの第２係合枢支部が、アクチュエータの係合カム溝に係合しているため、アクチュエータの開操作時には、係合カム溝と第２係合枢支部との係合によって、アクチュエータの開操作が規制されてしまい、アクチュエータの開き角度を十分に大きくとることができなかった。そのため、ケーブル固定時のアクチュエータの移動量が少なくなってしまい、操作性が悪くなるという問題があった。
【０００５】
そこで、本発明は、ケーブル固定時の操作性をより良好にすることのできるケーブル用コネクタを得ることを目的とする。
【課題を解決するための手段】
【０００６】
請求項１に記載の発明は、ハウジングと、前記ハウジングに設けられるとともに、シート状のケーブルが挿入され、前記ケーブルの表面に対向する第１接点部と、当該ケーブルの裏面に対向する第１係合枢支部と、を有する第１コンタクトと、前記ハウジングに前記第１コンタクトと並列に設けられるとともに、ケーブルが挿入され、前記ケーブルの表面に対向する第２接点部と、当該ケーブルの裏面に対向し、前記第１係合枢支部よりも根元部が厚い第２係合枢支部と、を有する第２コンタクトと、前記第１係合枢支部が挿入される第１貫通穴と、前記第１係合枢支部に係合する第１カム部と、前記第２係合枢支部が挿入される第２貫通穴と、前記第２係合枢支部に係合する第２カム部と、を有し、前記第１貫通穴と前記第１カム部とで前記第１係合枢支部に回動可能に支持されるとともに、前記第２貫通穴と前記第２カム部とで前記第２係合枢支部に回動可能に支持され、前記ケーブルを前記接点部に圧接させるカバーと、を備えることを特徴とする。
【０００７】
請求項２に記載の発明は、請求項１に記載のケーブル用コネクタにおいて、前記第１係合枢支部は、前記カバーが前記ケーブルの挿脱方向へ移動できるように、前記第１カム部を係合するとともに、前記前記第２係合枢支部は、前記カバーの前記ケーブルの挿入方向への移動を規制することを特徴とする。
【０００８】
請求項３に記載の発明は、請求項１または請求項２に記載のケーブル用コネクタにおいて、前記第１コンタクトが前記ケーブルの離脱方向に沿って前記ハウジングに挿入されるとともに、前記第２コンタクトが前記ケーブルの挿入方向に沿って前記ハウジングに挿入されることを特徴とする。
【０００９】
請求項４に記載の発明は、請求項１〜３のうちいずれか１項に記載のケーブル用コネクタにおいて、前記第２係合枢支部の先端部に、前記カバーを開いた状態で当該カバーを係止する略円弧状の突部を設けたことを特徴とする。
【発明の効果】
【００１０】
請求項１の発明によれば、カバーに第１貫通穴と第１カム部とを形成し、第１係合枢支部を第１貫通穴に挿入して第１カム部と係合することができるようにするとともに、第２貫通穴と第２カム部を形成し、第２係合枢支部を第２貫通穴に挿入して第２カム部と係合することができるようにしたため、カバーの開操作時に、第１係合枢支部および第２係合枢支部がカバーの開きを規制することがなくなり、カバーの開き角度を大きくすることができる。その結果、ケーブル固定時のカバーの操作性をより良好にすることができる。
【００１１】
請求項２の発明によれば、第１コンタクトの第１係合枢支部は、カバーの第１カム部をケーブルの挿脱方向へ移動できるように係合しているため、第１係合枢支部が第１カム部のケーブル挿脱方向への移動を規制することがなく、カバーの開閉操作時に、第１係合枢支部と第１カム部との間に大きな摩擦力が生じてしまうのを抑制することができ、カバーの操作性をより一層良好にすることができる。
【００１２】
請求項３の発明によれば、第１コンタクトをケーブルの離脱方向に沿ってハウジングに挿入させるとともに、第２コンタクトをケーブルの挿入方向に沿ってハウジングに挿入させることで、カバーのケーブルの離脱方向への移動を第１コンタクトによって規制するとともに、カバーのケーブルの挿入方向への移動を第２コンタクトによって規制することができる。その結果、カバーががたついてしまうのを抑制することができる上、カバーを抜けにくくさせることができる。
【００１３】
請求項４の発明によれば、カバーを開いた状態で当該カバーを係止する略円弧状の突部を第２係合枢支部の先端部に設けたため、カバーを開いている時に、当該カバーにケーブルの離脱方向の力がかかったとしても、略円弧状の突部がカバーを係止し、カバーがケーブルの離脱方向に移動してしまうのを抑制することができ、カバーを外れにくくすることができる。
【発明を実施するための最良の形態】
【００１４】
以下、本発明の実施形態について図面を参照しながら詳細に説明する。
【００１５】
図１は、本実施形態にかかるケーブル用コネクタの外観斜視図、図２は、ハウジングの平面図、図３は、カバーの正面図、図４は、第１コンタクトの断面図で、カバーを開いた状態を示す図、図５は、第１コンタクトの断面図で、カバーを閉じた状態を示す図、図６は、第２コンタクトの断面図で、カバーを開いた状態を示す図、図７は、第２コンタクトの断面図で、カバーを閉じた状態を示す図である。
【００１６】
ケーブル用コネクタ１は、ＦＰＣやＦＦＣ等の表面及び裏面を持つシート状のケーブル２が挿入される絶縁性のハウジング３と、ケーブル２の表面に対向する第１接点部４ａと裏面に対向する第１係合枢支部４ｂとを有し、ハウジング３の内部に所定の等ピッチで長手方向に一列に並べられて固定保持された複数の導電性の第１コンタクト４と、ケーブル２の表面に対向する第２接点部５ａと裏面に対向する第２係合枢支部５ｂとを有し、ハウジング３の内部に第１コンタクト４と並列に保持された複数の導電性の第２コンタクト５と、ケーブル２をハウジング３に挿入することのできる開位置とハウジング３に挿入したケーブル２を第１および第２接点部４ａ，５ａの方向に押圧する閉位置との間で回動可能な絶縁性のカバー６と、を備えている。
【００１７】
ハウジング３は、合成樹脂等の絶縁材料で形成されており、ケーブル２を前方（図４において左側）から挿入する袋状のケーブル受入部３ａが上下略中間部に形成されている。
【００１８】
また、ケーブル２の挿入端部の表面（図４における下面）には、所定の等ピッチで図示しない多数の導体が前後２列の千鳥状に露出している。
【００１９】
そして、ハウジング３の上壁３ｇの入口側（前側）は、略半分が取り除かれており、かかる部位には、カバー６を収容する上方開口部３ｂが形成されている。
【００２０】
ハウジング３の上方開口部３ｂの両端部には、上方を開放した軸受部３ｃが形成されている。この軸受部３ｃは、ハウジング３の長手方向で対向している。
【００２１】
カバー６は、ハウジング３の上方開口部３ｂに収容可能な板状の部材であり、このカバー６も合成樹脂等の絶縁材料で形成されている。そして、カバー６の左右両端面の基端部には枢支軸６ａがそれぞれ突出形成されている。本実施形態では、ハウジング３の上方よりカバー６の左右の枢支軸６ａをハウジング３の左右の軸受部３ｃに載置して、ハウジング３の上方開口部３ｂにカバー６を開閉（回動）可能に取り付けている。
【００２２】
このカバー６は、図４，図６に示す開位置から図５，図７に示す閉位置まで回動する。そして、カバー６が閉位置にある時には、カバー６は略水平姿勢となりハウジング３の上方開口部３ｂに収容され、ケーブル２を接点部４ａ，５ａの方向（図４において下方）に押圧する。他方、カバー６が開位置にある時には、ハウジング３の上方開口部３ｂから後傾の起立姿勢で立ち上がり、ケーブル受入部３ａの入口側略半分がハウジング３の上方に開放され、ハウジング３のケーブル受入部３ａにケーブル２を挿入できるようになる。このカバー６には、カバー６を開操作するための取手部６ｉが設けられている。なお、本実施形態では、ハウジング３の上壁３ｇが、カバー６の開方向への回動を規制するストッパとして機能している。
【００２３】
第１コンタクト４と第２コンタクト５は、ハウジング３の長手方向に沿って交互に配列されている。これら第１コンタクト４及び第２コンタクト５は、それぞれ薄板金属を打抜き加工して形成されている。
【００２４】
そして、第１コンタクト４と第２コンタクト５は、それぞれ相反する２方向からハウジング３に挿入され、固定保持される。具体的には、ハウジング３には、第１コンタクト４を１本ずつハウジング３の後方（奥側）から前方（入口側）、すなわち、ケーブル２の離脱方向（図４において右から左方向）に挿入するための多数の第１の穴３ｆと、第２コンタクト５をハウジング３の前方（入口側）から後方（奥側）、すなわち、ケーブル２の挿入方向（図６において左から右方向）に１本ずつ挿入するための多数の第２の穴３ｅとが、交互に、第１コンタクト４及び第２コンタクト５の配列ピッチに対応した所定の等ピッチでハウジング３の長手方向に形成されており、第１の穴３ｆと第２の穴３ｅを介して第１コンタクト４と第２コンタクト５とが、ハウジング３の内部に所定の等ピッチで長手方向に交互に並列するように取り付けられている。すなわち、第１コンタクト４と第２コンタクト５は、ハウジング３内への挿入量が調節できるようになっている。
【００２５】
第１コンタクト４は、ハウジング３のケーブル受入部３ａより奥側で上下壁３ｇ，３ｈの間に嵌合される基部４ｆと、基部４ｆの下端からハウジング３の下壁３ｈに沿って延出されてケーブル受入部３ａの下側に配設される下側アーム部４ｇと、基部４ｆの上端からハウジング３の上壁３ｇに沿って上方開口部３ｂまで延出されてケーブル受入部３ａの上側に配設される上側アーム部４ｈと、を備えている。
【００２６】
基部４ｆは、上側縁部に突起部が設けられており、第１の穴３ｆ内で、当該突起部をハウジング３の上壁３ｇに喰い込ませることで、ハウジング３に第１コンタクト４を係止できるようになっている。そして、基部４ｆの下縁から下向きにストッパ４ｃが突出形成されている。このストッパ４ｃが、第１コンタクト４をハウジング３の第１の穴３ｆに挿入する時の第１コンタクト４のハウジング３に対する最大挿入量を規制している。また、このストッパ４ｃは、ケーブル用コネクタ１の下面に突出させる表面実装用の半田付け部を兼ねており、図４に示すように、下側アーム部４ｇの先端部から下方に向けて突出している。
【００２７】
下側アーム部４ｇには、その先端部に第１接点部４ａが形成されている。この下側アーム部４ｇは、弾性変形可能に形成されており、ケーブル２が挿入されると下方に弾性変形して上方付勢力が働くようになっている。
【００２８】
上側アーム部４ｈの先端には、略鉤状の第１係合枢支部４ｂが上下方向に弾性変位可能に形成されて上方開口部３ｂに向けて突出している。本実施形態では、第１係合枢支部４ｂを、第１接点部４ａの位置よりもケーブル２の挿入方向側（図４において右側）に位置するように突出させている。
【００２９】
第２コンタクト５は、ハウジング３のケーブル受入部３ａより奥側で上下壁３ｇ，３ｈの間に嵌合される基部５ｆと、基部５ｆの下端からハウジング３の下壁３ｈに沿って入口側前面まで延出されてケーブル受入部３ａの下側に配設される下側アーム部５ｇと、基部５ｆの上端からハウジング３の上壁３ｇに沿って上方開口部３ｂまで延出されてケーブル受入部３ａの上側に配設される上側アーム部５ｈと、を備えている。
【００３０】
基部５ｆは、上側縁部に突起部が設けられており、第２の穴３ｅ内で、当該突起部をハウジング３の上壁３ｇに喰い込ませることで、ハウジング３に第２コンタクト５を係止できるようになっている。
【００３１】
下側アーム部５ｇには、略中間部に第２接点部５ａが形成されているとともに、先端部下縁から下向きにストッパ５ｃが突出形成されている。このストッパ５ｃが、第２コンタクト５をハウジング３の第２の穴３ｅに挿入する時の第２コンタクト５のハウジング３に対する最大挿入量を規制している。また、このストッパ５ｃは、ケーブル用コネクタ１の下面に突出させる表面実装用の半田付け部を兼ねており、図６に示すように、下側アーム部５ｇの先端部から下方に向けて突出している。
【００３２】
上側アーム部５ｈの先端には、第１係合枢支部４ｂの根元部４ｉよりも厚い根元部５ｉを有する第２係合枢支部５ｂが上方開口部３ｂに向けて突出形成されている。そして、この第２係合枢支部５ｂは、根元部５ｉが厚い分、第１係合枢支部４ｂよりも上下方向に弾性変形しにくくなっている。本実施形態では、図６，図７に示すように、第２コンタクト５の第２係合枢支部５ｂには、その先端部に、略円弧状をした突部５ｅが設けられており、この突部５ｅが、カバー６を開いた状態で、当該カバー６を係止している。また、第２係合枢支部５ｂの先端下部、すなわち、突部５ｅの下部には、段差状の係合面５ｄが形成されている。さらに、当該係合面５ｄの右側（ケーブル２の挿入方向側）には、段差状の当接面５ｊが形成されている。
【００３３】
そして、本実施形態では、第１係合枢支部４ｂおよび第２係合枢支部５ｂは、第２接点部５ａの位置よりもケーブル２の離脱方向側（図４，図６において左側）に位置するように突出させている。
【００３４】
このように、第１コンタクト４と第２コンタクト５を、ハウジング３に装着した状態では、第１コンタクト４の第１接点部４ａと第２コンタクト５の第２接点部５ａとがハウジング３内でそれぞれ１列で整列することになる。この結果、ケーブル２の離脱方向側で１列に整列している第１コンタクト４の第１接点部４ａと、ケーブル２の挿入方向側で１列に整列している第２コンタクト５の第２接点部５ａと、によって、第１および第２接点部４ａ，５ａの全体が千鳥状に配列され、ケーブル２の表面に設けられ千鳥状に露出した多数の導体と接触できるようになっている。
【００３５】
また、本実施形態では、第１係合枢支部４ｂおよび第２係合枢支部５ｂは、ハウジング３内で、第１コンタクト４の第１接点部４ａの列と、第２コンタクト５の第２接点部５ａの列の間の上方位置に配置されている。
【００３６】
カバー６には、第１コンタクト４に設けた第１係合枢支部４ｂに対応するようにして、第１貫通穴６ｂが設けられている。さらに、カバー６の第１貫通穴６ｂに隣接する位置には、カバー６の回動に伴って回動する第１カム部６ｃが形成されている。そして、第１コンタクト４の第１係合枢支部４ｂが、この第１カム部６ｃを係合することで、カバー６が第１係合枢支部４ｂに回動可能に支持されている。さらに本実施形態では、図４に示すように、第１コンタクト４の第１係合枢支部４ｂが、第１カム部６ｃを、カバー６がケーブル２の挿脱方向（ケーブル２の挿入方向および離脱方向）へ移動できるように、遊びを持たせて係合している。このように、第１カム部６ｃがケーブル２の挿脱方向に移動できるように遊びを持たせて係合することで、第１係合枢支部４ｂと第１カム部６ｃとの間に生じる摩擦力を低減させている。
【００３７】
また、カバー６が閉位置にある時にケーブル２の反対側を向くカバー６の外面側には、カバーを開いたときに、カバーの端部がケーブル２の挿入を邪魔することがないように傾斜面６ｄが形成されている。そして、第１カム部６ｃの当該傾斜面６ｄに対応する位置にも傾斜面が設けられており、カバー６の傾斜面６ｄと第１カム部６ｃの傾斜面とが面一となるようにしている。
【００３８】
また、カバー６が閉位置にある時にケーブル２と対向するカバー６の内面側には、ケーブル２を下方に押圧するケーブル押圧部６ｈが形成されている。このケーブル押圧部６ｈは、カバー６の内面における各第１貫通穴６ｂの間にそれぞれ突出形成されている。
【００３９】
さらに、カバー６には、第２コンタクト５に設けた第２係合枢支部５ｂに対応するようにして、第２貫通穴６ｅが設けられている。この第２貫通穴６ｅは、図３に示すように、ケーブル押圧部６ｈをくり抜くようにして形成されている。そして、カバー６の第２貫通穴６ｅに隣接する位置には、カバー６の回動に伴って回動する第２カム部６ｆが形成されている。そして、第２コンタクト５の第２係合枢支部５ｂが、この第２カム部６ｆを係合することで、カバー６が第２係合枢支部５ｂに回動可能に支持されている。
【００４０】
本実施形態では、第２カム部６ｆには、カバー６を開いた際に係合面５ｄに係合する係合カム面６ｇが形成されるとともに、カバー６を閉じた際に当接面５ｊに当接する当接面６ｊが形成されており、カバー６の開閉に伴って、第２カム部６ｆが、係合カム面６ｇを係合面５ｄに係合させた位置から当接面６ｊを当接面５ｊに当接させた位置まで回動する。さらに、第２係合枢支部５ｂに段差状に設けた当接面５ｊによって、カバー６のケーブル２の挿入方向への移動および上方への移動が規制されている。
【００４１】
以上の構成による本実施形態によれば、カバー６を開の状態とすると、ケーブル２を、ケーブル受入部３ａ内に容易に挿入することができる。
【００４２】
そして、ケーブル２を挿入した後、カバー６を図５，図７の閉の位置まで回動すると、カバー６の下面のケーブル押圧部６ｈがケーブル２を下方の第１接点部４ａ，第２接点部５ａ側に向けて押圧し、第１接点部４ａ，第２接点部５ａとケーブル２の接点が適度の接圧で係合して電気的に接続される。すなわち、ケーブル２が、カバー６の下面と第１接点部４ａおよび第２接点部５ａとの間に挟まれることになり、ケーブル２の厚さの分だけ、下側アーム部４ｇが下方に弾性変形し、その弾力によって適度の接圧が得られるようになる。
【００４３】
以上の本実施形態によれば、カバー６に第１貫通穴６ｂと第１カム部６ｃとを形成し、第１係合枢支部４ｂを第１貫通穴６ｂに挿入して第１カム部６ｃと係合することができるようにするとともに、第２貫通穴６ｅと第２カム部６ｆを形成し、第２係合枢支部５ｂを第２貫通穴６ｅに挿入して第２カム部６ｆと係合することができるようにしたため、カバー６の開操作時に、第１係合枢支部４ｂおよび第２係合枢支部５ｂがカバー６の開きを規制することがなくなり、カバー６の開き角度を大きくすることができる。その結果、ケーブル２を固定する際における、カバー６の操作性をより良好にすることができる。
【００４４】
また、本実施形態によれば、第１コンタクト４の第１係合枢支部４ｂは、カバー６の第１カム部６ｃをケーブル２の挿脱方向へ移動できるように遊びをもって係合しているため、第１係合枢支部４ｂが第１カム部６ｃのケーブル２の挿脱方向（挿入方向および離脱方向）への規制をすることがなく、カバー６の開閉操作時に、第１係合枢支部４ｂと第１カム部６ｃとの間に大きな摩擦力が生じてしまうのを抑制することができ、カバー６の開閉操作の操作性をより一層良好にすることができる。
【００４５】
また、本実施形態によれば、第２コンタクト５の第２係合枢支部５ｂが、カバー６のケーブル２の挿入方向への移動を規制しているため、カバー６の第１カム部６ｃをケーブル２の挿脱方向へ移動できるように遊びをもって係合させたとしても、カバー６のケーブル２の挿脱方向への移動は抑制されるので、カバー６の開閉操作時のがたつきを抑制することができる。
【００４６】
また、本実施形態では、カバー６の第１カム部６ｃと第１コンタクト４の第１係合枢支部４ｂの係合によって形成される回動中心が、第１コンタクト４の第１接点部４ａの列と、第２コンタクト５の第２接点部５ａの列の間の上方に位置するようにしているので、第１コンタクト４の第１接点部４ａと、第２コンタクト５の第２接点部５ａとの間のケーブル２が変形しやすい位置でカバー６を回動させることができ、カバー６の開閉操作の操作性をより良好にすることができる。
【００４７】
さらに、第１コンタクト４と第２コンタクト５のハウジング３への挿入量を適宜設定することで、カバー６の回動中心、第１接点部４ａおよび第２接点部５ａの相対位置を変更して、より操作性の良好なケーブル用コネクタ１を得ることができるという利点もある。
【００４８】
また、本実施形態によれば、第２コンタクト５の第２係合枢支部５ｂに段差状の当接面５ｊを設けるとともに、カバー６を閉じた際に当接面５ｊと当接する当接面６ｊをカバー６に設けたことで、ケーブル２の固定時にカバー６を閉じると、カバー６は、これら当接面５ｊおよび当接面６ｊによって、ケーブル２の挿入方向への移動ならびに上方への移動が規制される。その結果、ケーブル固定時に閉じたカバー６が開いてしまうのを抑制することができ、ケーブル用コネクタ１の接続の信頼性を高めることができる。さらに、本実施形態では、第２係合枢支部５ｂの根元部５ｉの厚さが第１係合枢支部４ｂの根元部４ｉよりも厚い第２コンタクトを用いることで、第２係合枢支部５ｂが上下方向に弾性変形させにくくすることができ、ケーブル固定時に閉じたカバー６が開いてしまうのをより一層抑制することができる。その結果、ケーブル用コネクタ１の接続の信頼性をより高めることができる。
【００４９】
また、本実施形態によれば、第１コンタクト４をケーブル２の離脱方向に沿ってハウジング３に挿入させるとともに、第２コンタクト５をケーブル２の挿入方向に沿ってハウジング３に挿入させることで、カバー６のケーブル２の離脱方向への移動を第１コンタクト４によって規制するとともに、カバー６のケーブル２の挿入方向への移動を第２コンタクト５によって規制することができる。すなわち、第１，第２コンタクト４，５がそれぞれ反対方向へのカバー６の移動を規制するため、カバー６ががたついてしまうのを抑制することができる上、カバー６を抜けにくくさせることができる。さらに、本実施形態では、第１係合枢支部４ｂがカバー６の移動を規制する方向（ケーブル２の離脱方向）と同一の方向に沿って第１コンタクト４を挿入するとともに、第２係合枢支部５ｂがカバー６の移動を規制する方向（ケーブル２の挿入方向）と同一の方向に沿って第２コンタクト５を挿入しているため、カバー６をより抜けにくくさせることができる。
【００５０】
また、本実施形態によれば、カバー６を開いた状態で当該カバー６を係止する略円弧状の突部５ｅを第２係合枢支部５ｂの先端部に設けたため、カバー６を開いている時に、当該カバー６にケーブル２の離脱方向の力がかかったとしても、略円弧状の突部５ｅがカバー６を係止し、カバー６がケーブル２の離脱方向に移動してしまうのを抑制することができ、カバー６を外れにくくすることができる。しかも、突部５ｅは略円弧状をしているため、カバー６を回動させる際には、突部５ｅに沿ってスムーズにカバー６を操作させることができるという利点もある。
【００５１】
以上、本発明にかかるケーブル用コネクタの好適な実施形態について説明したが、本発明は上記実施形態に限ることなく要旨を逸脱しない範囲で種々の実施形態を採用することができる。
【図面の簡単な説明】
【００５２】
【図１】本発明の一実施形態にかかるケーブル用コネクタの外観斜視図である。
【図２】本発明の一実施形態にかかるケーブル用コネクタのハウジングの平面図である。
【図３】本発明の一実施形態にかかるケーブル用コネクタのカバーの正面図である。
【図４】本発明の一実施形態にかかるケーブル用コネクタの第１コンタクトの断面図で、カバーを開いた状態を示す図である。
【図５】本発明の一実施形態にかかるケーブル用コネクタの第１コンタクトの断面図で、カバーを閉じた状態を示す図である。
【図６】本発明の一実施形態にかかるケーブル用コネクタの第２コンタクトの断面図で、カバーを開いた状態を示す図である。
【図７】本発明の一実施形態にかかるケーブル用コネクタの第２コンタクトの断面図で、カバーを閉じた状態を示す図である。
【符号の説明】
【００５３】
１  ケーブル用コネクタ
２  ケーブル（ＦＰＣ／ＦＦＣ）
３  ハウジング
４  第１コンタクト
４ａ  第１接点部
４ｂ  第１係合枢支部
４ｉ  根元部
５  第２コンタクト
５ａ  第２接点部
５ｂ  第２係合枢支部
５ｅ  突部
５ｉ  根元部
６  カバー
６ｂ  第１貫通穴
６ｃ  第１カム部
６ｅ  第２貫通穴
６ｆ  第２カム部
【図１】
2008243554.tif 000003
【図２】
2008243554.tif 000004
【図３】
2008243554.tif 000005
【図４】
2008243554.tif 000006
【図５】
2008243554.tif 000007
【図６】
2008243554.tif 000008
【図７】
2008243554.tif 000009